(57)【要約】【課題】展示会や講演会等に来場、参加した個々の来場者や参加者に対してＲＦタグと主催者側のデータサーバやインターネット等のネットワークを介して、その会に関する詳細な資料を個々の来場者や参加者の要望に応じて提供できるようにした。【解決手段】ＲＦタグ１０と、リーダライタ１１と、来場者要望展示資料リスト１３を作成し、各展示ブース毎の詳細な展示資料データ１４を前記要望展示資料リスト１３にリンクさせて作成する要望展示資料データ処理装置１２と、要望展示資料リスト１３と展示資料データ１４とを収容するデータベース２０と、ネットワークＮを介して来場者の端末２５に展示資料リスト１３及び展示資料データ１４を供給するデータサーバ２１と、来場者の端末２５と、該端末２５にＲＦタグ１０の収録データを読み出すＲＦタグリーダ２６とを備え、該端末２５の展示会ＨＰ画面に個々の来場者が要望した展示資料を送信する。【選択図】図５
2010086253.tif 000002
【特許請求の範囲】
【請求項１】
少なくとも固有のタグ識別コードが電子的に記録されてなり、且つ、前記タグ識別コードに対応する固定パスワードが目視可能なように記録のうえ不可視状態とされてなり、前記固定パスワードを可視状態とした際には、内蔵のＩＣチップが動作不能となる構成としたことを特徴とするＲＦタグ。
【請求項２】
さらに任意のパスワードを電子的に記録可能であることを特徴とする請求項１記載のＲＦタグ。
【請求項３】
前記タグ識別コードと前記任意のパスワードとにそれぞれ対応する文字列を含むＵＲＬを記録可能であることを特徴とする請求項２記載のＲＦタグ。
【請求項４】
任意のパスワードを電子的に記録した請求項２又は３記載のＲＦタグを用いて、少なくとも該任意のパスワードを前記ＲＦタグから読み出し、パスワード入力とのマッチングを確認することにより認証した後、更に前記タグ識別コードを前記ＲＦタグから読み出し、それに一意対応する前記固定パスワードの入力とのマッチングを確認することで認証することを特徴とする情報開示方法。
【請求項５】
任意のパスワードを設定後、該任意のパスワードと前記タグ識別コードとにそれぞれ対応する文字列を含むＵＲＬを記録した請求項３記載のＲＦタグを用いて、該ＵＲＬにより認証されるネットサイトへの前記任意のパスワードの入力とのマッチングを確認することにより認証した後、更に前記タグ識別コードを前記ＲＦタグから読み出し、それに一意対応する前記固定パスワードの入力とのマッチングを確認することで認証することを特徴とする情報開示方法。
【請求項６】
展示会で来場者に発行される請求項３記載のＲＦタグと、
展示会場の展示資料の傍に設置されて、前記ＲＦタグからタグ識別コードを読み出す複数のＲＦタグリーダと、
データ処理部およびデータベース部を有するサーバと、
前記ＲＦタグからタグ識別コードを読み出すとともに、前記ＵＲＬを該ＲＦタグに書き込む機能、および文字入力手段を有するＲＦタグリーダライタと、
前記来場者の利用するネットワーク端末と、
該ネットワーク端末に付随するＲＦタグリーダまたはＲＦタグリーダライタと、
から少なくとも構成され、
ａ）前記来場者が、入手を要望する特定の展示資料の傍に設置されたＲＦタグリーダに前記ＲＦタグをかざす工程、
ｂ）前記ＲＦタグリーダが、前記ＲＦタグからタグ識別コードを読み出し、読み出したＲＦタグリーダを示す展示資料識別コードとともに前記サーバへ送信する工程、
ｃ）前記サーバの前記データ処理部が、受信したタグ識別コードと展示資料識別コードをもとに、前記データベース部の展示資料データと対応させ、来場者の要望展示資料リストを作成する工程、
ｄ）前記来場者が、展示会場を出場するまでのいずれかのうちに、前記ＲＦタグリーダライタに付随する文字入力手段に前記任意のパスワードを入力し、前記ＲＦタグをかざす工程、
ｅ）前記ＲＦタグリーダライタが、前記ＲＦタグからタグ識別コードを読み出す工程、
ｆ）前記ＲＦタグリーダライタが、入力された任意のパスワードと、読み出されたタグ識別コードを前記サーバへ送信する工程、
ｇ）前記サーバのデータ処理部が、受信した任意のパスワードと、タグ識別コードとにそれぞれ対応する文字列を含むＵＲＬを生成し、前記ＲＦタグリーダライタへ送信する工
程、
ｈ）前記ＲＦタグリーダライタが、該ＵＲＬを前記ＲＦタグに書き込む工程、
ｉ）前記来場者が会場を退場後、前記ＲＦタグを、前記来場者の利用するネットワーク端末に付随するＲＦタグリーダまたはＲＦタグリーダライタにかざす工程、
ｊ）該ＲＦタグリーダまたはＲＦタグリーダライタが、前記ＲＦタグから前記タグ識別コードと前記ＵＲＬを読み出すとともに、該ＵＲＬにアクセスする工程、
ｋ）前記サーバのデータ処理部が、前記ＵＲＬに含まれる文字列から前記任意のパスワードと前記タグ識別コードを導き出し、前記ネットワーク端末に、認証のため任意のパスワードの入力を求める画面を送信する工程、
ｌ）前記ネットワーク端末が、任意のパスワードの入力画面を受信し表示する工程、
ｍ）前記来場者が、前記画面に任意のパスワードを入力する工程、
ｎ）前記ネットワーク端末が、該任意のパスワードを前記サーバに送信する工程、
ｏ）前記サーバが、任意のパスワードを認証後、前記来場者の要望展示資料リスト、および前記固定パスワードの入力を求める画面を送信する工程、
ｐ）前記ネットワーク端末が、前記来場者の要望展示資料リスト、および固定パスワードの入力画面を受信し表示する工程、
ｑ）前記来場者が、前記ＲＦタグにおいて不可視状態とされている固定パスワードを可視状態とし、前記画面に固定パスワードを入力する工程、
ｒ）前記ネットワーク端末が、該固定パスワードを前記サーバに送信する工程、
ｓ）前記サーバが、固定パスワードを認証後、データベース部に蓄積されている展示資料データを前記来場者のネットワーク端末に送信する工程、
ｔ）前記ネットワーク端末が、前記展示資料データを受信し表示する工程、
を少なくとも経ることを特徴とする情報開示システム。
【請求項７】
前記工程ｋ）が、前記ＲＦタグリーダまたはＲＦタグリーダライタが読み出した前記タグ識別コードと、前記ＵＲＬに含まれる文字列から導き出した前記タグ識別コードとが一致することを確認する工程をさらに含むことを特徴とする請求項６記載の情報開示システム。
【請求項８】
前記サーバのデータベース部は、その一部または全部が展示会の出展者等の外部サーバ内にあることを特徴とする請求項６又は７記載の情報開示システム。
【発明の詳細な説明】
【技術分野】
【０００１】
本発明は、ネットワークを介した情報開示等に用いるＲＦタグ、特に開示対象にのみ開示が可能なようにした情報開示用ＲＦタグ及びそれを用いた情報開示方法及び展示情報開示システムに関するものであって、各種の業界や団体等の主催する展示会や講演会等に来場、参加した来場者や参加者に対して、個々の来場者や参加者の要望に応じた展示会や講演会等に関する詳細な資料を、手渡されたＲＦタグと主催者のデータサーバの連携により、インターネット等のネットワークを介して提供するためのＲＦタグ及び情報開示方法及び展示情報開示システムに関する。
【背景技術】
【０００２】
従来、各種業界や団体等の主催する展示会や講演会等においては、主催者（又は出展者）側が、その展示情報や講演情報をＣＤやＤＶＤ等の記録媒体に資料として収録し、その会場にて、その会に来場参加した観客や視聴者であるユーザに対して、主催者側から手渡しにて配布したり販売したりしていた。
【０００３】
しかし、会場にて配布したり販売したりする資料には、ユーザにとって必要とする情報の他に必要でない情報もあり、そのために、資料が開封されずに無駄が生じる場合があった。
【０００４】
そこで、展示会や講演会等に来場参加する観客や視聴者に対して、情報やその情報を収録した資料等の要、不要や、希望、要望等について、予めアンケートを採ったりすることにより、本当に必要とする資料のみを配布することは可能ではある。
【０００５】
しかしながら、その会場において、ユーザの一人一人の趣味、嗜好に応じて、必要とする情報を配布したり、販売したりすることは到底無理であり、そのため事前に主催者側にて、万人向けに用意した情報をＣＤやＤＶＤ等の記録媒体にして渡すに過ぎなかった。また、例えばソフトウエアデベロップメント等の業界では、取引先や提携先の候補となる来場者やその組織に対してのみ開示したい情報もあり、それらの情報は、慎重に扱う必要があるため、後日に連絡を取り合って個別に送付する等の方法が採られているが、取り扱い件数が多くなると労力と費用が掛かり過ぎる場合がある。
【０００６】
以下に、先行技術文献を記載する。
【特許文献１】特開２００２−２７９２６８号公報
【特許文献２】特開２００７−１２２４６６号公報
【発明の開示】
【発明が解決しようとする課題】
【０００７】
本発明は、上記の問題を解決するためのものであり、ネットワークを介した情報開示に用いるＲＦタグにおいて、任意のパスワードとタグ識別コードの組み合わせ、及び予めＲＦタグ内に印刷された固定パスワードとの２重のパスワードにより高いセキュリティを確保することにあり、また本発明は、個々の来場者や参加者の要望に応じて提供できる展示会等における情報開示システムにおいて、各種の業界や団体等の主催する展示会や講演会等に来場、参加した個々の来場者や参加者に対して、発行されたＲＦタグと主催者（又は出展者）側のデータサーバの連携により、インターネット等のネットワークを介して、展示会や講演会等に関する詳細な資料をセキュリティを確保しつつ、個々の来場者や参加者
の要望に応じて提供できる展示情報開示システムを提供することにある。
【課題を解決するための手段】
【０００８】
本発明の請求項１に係る発明は、少なくとも固有のタグ識別コードが電子的に記録されてなり、且つ、前記タグ識別コードに対応する固定パスワードが目視可能なように記録のうえ不可視状態とされてなり、前記固定パスワードを可視状態とした際には、内蔵のＩＣチップが動作不能となる構成としたことを特徴とするＲＦタグである。
【０００９】
本発明の請求項２に係る発明は、上記請求項１に係るＲＦタグにおいて、さらに任意のパスワードを電子的に記録可能であることを特徴とするＲＦタグである。
【００１０】
本発明の請求項３に係る発明は、上記請求項２に係るＲＦタグにおいて、前記タグ識別コードと前記任意のパスワードとにそれぞれ対応する文字列を含むＵＲＬを記録可能であることを特徴とするＲＦタグである。
【００１１】
本発明の請求項４に係る発明は、任意のパスワードを電子的に記録した上記請求項２又は３に係るＲＦタグを用いて、少なくとも該任意のパスワードを前記ＲＦタグから読み出し、パスワード入力とのマッチングを確認することにより認証した後、更に前記タグ識別コードを前記ＲＦタグから読み出し、それに一意対応する前記固定パスワードの入力とのマッチングを確認することで認証することを特徴とする情報開示方法である。
【００１２】
本発明の請求項５に係る発明は、任意のパスワードを設定後、該任意のパスワードと前記タグ識別コードとにそれぞれ対応する文字列を含むＵＲＬを記録した上記請求項３に係るＲＦタグを用いて、該ＵＲＬにより認証されるネットサイトへの前記任意のパスワードの入力とのマッチングを確認することにより認証した後、更に前記タグ識別コードを前記ＲＦタグから読み出し、それに一意対応する前記固定パスワードの入力とのマッチングを確認することで認証することを特徴とする情報開示方法である。
【００１３】
本発明の請求項６に係る発明は、
展示会で来場者に発行される上記請求項３に係るＲＦタグと、展示会場の展示資料の傍に設置されて、前記ＲＦタグからタグ識別コードを読み出す複数のＲＦタグリーダと、データ処理部およびデータベース部を有するサーバと、前記ＲＦタグからタグ識別コードを読み出すとともに、前記ＵＲＬを該ＲＦタグに書き込む機能、および文字入力手段を有するＲＦタグリーダライタと、前記来場者の利用するネットワーク端末と、該ネットワーク端末に付随するＲＦタグリーダまたはＲＦタグリーダライタとから少なくとも構成され、
ａ）前記来場者が、入手を要望する特定の展示資料の傍に設置されたＲＦタグリーダに前記ＲＦタグをかざす工程、
ｂ）前記ＲＦタグリーダが、前記ＲＦタグからタグ識別コードを読み出し、読み出したＲＦタグリーダを示す展示資料識別コードとともに前記サーバへ送信する工程、
ｃ）前記サーバの前記データ処理部が、受信したタグ識別コードと展示資料識別コードをもとに、前記データベース部の展示資料データと対応させ、来場者の要望展示資料リストを作成する工程、
ｄ）前記来場者が、展示会場を出場するまでのいずれかのうちに、前記ＲＦタグリーダライタに付随する文字入力手段に前記任意のパスワードを入力し、前記ＲＦタグをかざす工程、
ｅ）前記ＲＦタグリーダライタが、前記ＲＦタグからタグ識別コードを読み出す工程、
ｆ）前記ＲＦタグリーダライタが、入力された任意のパスワードと、読み出されたタグ識別コードを前記サーバへ送信する工程、
ｇ）前記サーバのデータ処理部が、受信した任意のパスワードと、タグ識別コードとにそれぞれ対応する文字列を含むＵＲＬを生成し、前記ＲＦタグリーダライタへ送信する工
程、
ｈ）前記ＲＦタグリーダライタが、該ＵＲＬを前記ＲＦタグに書き込む工程、
ｉ）前記来場者が会場を退場後、前記ＲＦタグを、前記来場者の利用するネットワーク端末に付随するＲＦタグリーダまたはＲＦタグリーダライタにかざす工程、
ｊ）該ＲＦタグリーダまたはＲＦタグリーダライタが、前記ＲＦタグから前記タグ識別コードと前記ＵＲＬを読み出すとともに、該ＵＲＬにアクセスする工程、
ｋ）前記サーバのデータ処理部が、前記ＵＲＬに含まれる文字列から前記任意のパスワードと前記タグ識別コードを導き出し、前記ネットワーク端末に、認証のため任意のパスワードの入力を求める画面を送信する工程、
ｌ）前記ネットワーク端末が、任意のパスワードの入力画面を受信し表示する工程、
ｍ）前記来場者が、前記画面に任意のパスワードを入力する工程、
ｎ）前記ネットワーク端末が、該任意のパスワードを前記サーバに送信する工程、
ｏ）前記サーバが、任意のパスワードを認証後、前記来場者の要望展示資料リスト、および前記固定パスワードの入力を求める画面を送信する工程、
ｐ）前記ネットワーク端末が、前記来場者の要望展示資料リスト、および固定パスワードの入力画面を受信し表示する工程、
ｑ）前記来場者が、前記ＲＦタグにおいて不可視状態とされている固定パスワードを可視状態とし、前記画面に固定パスワードを入力する工程、
ｒ）前記ネットワーク端末が、該固定パスワードを前記サーバに送信する工程、
ｓ）前記サーバが、固定パスワードを認証後、データベース部に蓄積されている展示資料データを前記来場者のネットワーク端末に送信する工程、
ｔ）前記ネットワーク端末が、前記展示資料データを受信し表示する工程、
を少なくとも経ることを特徴とする情報開示システムである。
【００１４】
本発明の請求項７に係る発明は、上記請求項６に係る情報開示システムにおいて、前記工程ｋ）が、前記ＲＦタグリーダまたはＲＦタグリーダライタが読み出した前記タグ識別コードと、前記ＵＲＬに含まれる文字列から導き出した前記タグ識別コードとが一致することを確認する工程をさらに含むことを特徴とする情報開示システムである。
【００１５】
本発明の請求項８に係る発明は、上記請求項６又は７に係る情報開示システムにおいて前記サーバのデータベース部は、その一部または全部が展示会の出展者等の外部サーバ内にあることを特徴とする情報開示システムである。
【発明の効果】
【００１６】
本発明の情報開示用ＲＦタグ及び情報開示方法によれば、任意のパスワードとタグ識別コードの組み合わせによる認証だけでなく、ＲＦタグ内に視認可能な状態に印刷された固定パスワードを併用して２重の認証を行うことができ、しかもその際、前記固定パスワードを入力するために視認可能にする際に、ＲＦタグのＩＣチップは読み出し不可となるため、より高いセキュリティを確保することができる。
【００１７】
また、本発明の展示情報開示システムによれば、展示会や講演会等に来場、参加した人の例えば、氏名、住所、電話番号、メールアドレス等の個人情報を使用せずに、インターネット等のネットワークを介して展示会サイトや講演会サイトなどの情報サイト（データサーバ）にアクセスできるため、展示会や講演会等の展示情報や講演情報等が掲載されたウエブサイトの情報や、それにリンクした詳細情報や、限定的に開示したい情報を、その来場者や参加者の個々の要望や必要性に対応して、豊富に提供することができるものである。
【００１８】
また、本発明の展示情報開示システムによれば、展示会や講演会等の来場者や参加者に配付される非接触式のＩＣモジュールを搭載したＲＦタグ（ＲＦＩＤ（Ｒａｄｉｏ  Ｆｒ
ｅｑｕｅｎｃｙ  Ｉｄｅｎｔｉｆｉｃａｔｉｏｎ）タグ、ＩＣタグ）に予め記録されているタグ識別コード等と、来場者自身が任意に指定する展示資料請求用の任意パスワードＰＷ1 と、該ＲＦタグに付帯した展示資料請求用の固定パスワードＰＷ2 とにより、セキュリティを確保しつつ、インターネット等のネットワークＮを介して、展示会サイトや講演会サイト等の情報サイト（データサーバ）にアクセスすることができる。
【００１９】
前記タグ識別コードは、個々の来場者や参加者の所有する端末（パソコン、携帯電話等）に搭載又は接続したタグ読み出し用のタグリーダにより読み出すことができるが、前記任意パスワードＰＷ1 は来場者自身が設定するもので、ＲＦタグに直接記録されるものではない。また、前記固定パスワードＰＷ2 は、該ＲＦタグに記載されていて、個々の来場者や参加者にだけ確認できるように適宜な隠蔽手段により隠蔽されて不可視状態となっている。そのため、たとえＲＦタグの情報が第三者によって読み出されたとしても、来場者自身が任意に設定した任意パスワードＰＷ1 は暗証番号や暗証記号であるため解読されることはない。また個々の来場者や参加者が展示会を見終えた後の任意パスワード入力後に、ＲＦタグの隠蔽手段を除去して隠蔽を解除することにより、固定パスワードＰＷ2 を可視状態として確認することができるが、隠蔽の解除と同時に、そのＲＦタグは破壊されて、該タグに記録されている情報の読み出し、書き込みは不能となるためセキュリティの度合いが高くなる。また、データサーバに不正アクセスされた場合でも、任意パスワード、固定パスワード共に、直接保存されてはいないので、情報漏洩のリスクが低減されるものである。
【００２０】
また、本発明システムによれば、展示ブースの出展者は、詳細な展示資料の情報を紙カタログや光ディスクで作成し準備する労務費、製造費等を削減でき、また、無駄に展示情報を公開するリスクを低減でき、展示資料を要望する来場者のみに、高度で詳細な情報を的確に提供できるため、来場者からのコンタクトを得てビジネスに繋がる事業展開の増加が期待できる。
【００２１】
また来場者側からも、従来のような個人登録情報と一体化したバーコード読み取りによって、各展示ブースの出展者から他業者に不用意に来場者の個人情報が渡ることを防ぐことができ、来場者は、興味ある展示ブースにおける資料の要望を安心して行うことができる。
【００２２】
このように本発明の展示情報開示システムは、各種の業界や団体等の主催する展示会や講演会等に来場、参加した個々の来場者や参加者に配付されたＲＦタグと、主催者側の展示資料を提供できるデータサーバとインターネット等のネットワークを介して、個々の来場者や参加者に対して、その展示会や講演会等に関する詳細な資料を、セキュリティを確保しつつ、個々の来場者や参加者の要望に応じて提供することができるものである。
【発明を実施するための最良の形態】
【００２３】
本発明のＲＦタグについて、以下に詳細に説明する。一般的にＲＦタグ１０は、情報を電子データとして記録し、専用の読取手段によって非接触式にて読み出しできるＩＣチップとアンテナなどからなるＲＦ通信モジュールを小片状の支持シートに搭載したＩＣタグである。
【００２４】
本発明のＲＦタグ１０には、予め、タグ識別コード（固有の識別データ）が記録されていて、一方、固定パスワードＰＷ2 （後述する）が、視認可能な状態に記載された上で、所定の隠蔽手段にて視認不能状態に隠蔽されている。ＲＦタグ１０に記載された前記固定パスワードＰＷ2 は、その隠蔽手段を取り除いて隠蔽状態を解除することにより、可視状態とすることができるようになっている。また、ＲＦタグ１０は、隠蔽手段を剥離した際には、例えばＲＦタグのアンテナ又は／及び回路が隠蔽手段と同時に剥離して破壊され、
読み出し又は／及び書き込みができないようになっている。
【００２５】
本発明のＲＦタグ１０の具体的な一例を、コイル状にアンテナ線を設けた図１（ａ）〜（ｄ）、及び他の例としてストレート状にアンテナ線を設けた図２（ａ）〜（ｄ）に基づいて説明する。本発明のＲＦタグ１０は、後述する情報開示方法及び展示情報開示システムにおいて使用することができ、このようなＲＦタグ１０のうち、ＭＨｚ帯を使用するものの一例を図１（ａ）〜（ｄ）に示し、ＧＨｚ帯を使用するものの一例を図２（ａ）〜（ｄ）に示す。図２では、アンテナがＩＣチップから両側に直線状に伸びた形状である他は、図１と同様である。
【００２６】
ＲＦタグ１０は、図１（ａ）の平面図及び（ｂ）の側断面図（又は図２（ａ）の平面図及び（ｂ）の側断面図）に示すように、基材シート１５（紙、プラスチックシート等）の片面に、不透明な隠蔽性シート１６（例えば不透明な紙、不透明なプラスチックシート等）が易剥離可能に貼着されているものである。
【００２７】
図１（ａ）に示すように、基材シート１５と剥離性シート１６との間には、ＩＣチップ１７が取り付けられ、該ＩＣチップ１７の端部には、コイル状にアンテナ線１８（導電性薄膜層）が、その端子部１８ａ、１８ａにて接合されている。また、図２（ａ）においては、ストレート状にアンテナ線１８（導電性薄膜層）が、その端子部１８ａ、１８ａにて接合されている。
【００２８】
図１（ａ）、（ｂ）（又は図２（ａ）、（ｂ））に示すように、基材シート１５の貼着内面側の一部領域には、パスワード記載領域、例えば、図示するように、凹陥状のパスワード記載領域１５ａが設けられ、その領域１５ａ内には、隠蔽性シート１６を剥離除去した際に視認できる状態に、固定パスワードＰＷ2 が数字、記号などで印字、記載されている。
【００２９】
接着剤により易剥離可能に貼着されている基材シート１５と隠蔽性シート１６との間にある前記ＩＣチップ１７は、剥離可能領域１５ａ内において、基材シート１５の貼着内面側に対しては、容易に剥離できる程度の接着剤による接着力にて接着して取り付けられ、若しくは非接着状態で取り付けられ、隠蔽性シート１６の貼着内面に対しては、剥離困難な程度の接着剤の接着力にて接着して取り付けられている。
【００３０】
一方、前記コイル状のアンテナ線１８は、基材シート１５の貼着内面に対して隠蔽性シート１６の貼着内面よりも強い接着力にて接着しているか、あるいは隠蔽性シート１６の貼着内面に対して易剥離可能に接着している。又は隠蔽性シート１６の貼着内面に対して非接着状態となっている。
【００３１】
あるいは該アンテナ線１８は、基材シート１５と隠蔽性シート１６との互いの貼着内面に対して、該アンテナ線１８に沿って交互に、規則的若しくは不規則的な間隔にて、接着状態、易剥離接着状態（又は非接着状態）を繰り返して形成されている。
【００３２】
図１（ｃ）（又は図２（ｃ））の剥離状態の側断面図に示すように、上記ＲＦタグ１０の基材シート１５から隠蔽性シート１６を剥離した際には、ＲＦタグ１０のＩＣチップ１７は、隠蔽性シート１６側に接着した状態で、基材シート１５の前記パスワード記載領域１５ａ内から離脱して剥離される。一方、アンテナ線１８は、基材シート１５側に全て接着した状態で、隠蔽性シート１６側には離脱しないか、あるいはアンテナ線１８が、基材シート１５側と隠蔽性シート１６側とに部分的に接着した状態で剥離される。
【００３３】
そのために、ＲＦタグ１０は、基材シート１５と隠蔽性シート１６とを剥離することに
より、導通状態のアンテナ線１８が、ＩＣチップ１７から、そのアンテナ線端子部１８ａ近辺を含んで分断され、破壊されて使用不能になり、端末（パソコン）等のＲＦタグリーダによる読み出しが不可能となるものである。
【００３４】
そして隠蔽性シート１６を剥離した後には、図１（ｄ）（又は図２（ｄ））の平面図に示すように、基材シート１５のパスワード記載領域１５ａには、固定パスワードＰＷ2 （例えば、ＴＲＷＤ１２７）が可視状態となるものである。
【００３５】
ところで、本発明のＲＦタグには、図３に示すように、電子的記録データが記録可能であり、電子的記録データとしては、各ＲＦタグ１０に搭載する各チップ固有の記号（固定データ）であるタグ識別コード１０Ａと、任意のパスワードＰＷ1 が記録される。
【００３６】
また、本発明のＲＦタグの電子的記録データとしては、図３に示すように、さらに任意のパスワードのかわりに、タグ識別コード及び任意のパスワードに対応する文字列を含む特殊なＵＲＬを記録可能である。ここで、「対応する文字列」とは、任意パスワードやタグ識別コードを直接組み込む以外に、一定の規則により可逆変換した文字列も含むものである。また、この特殊ＵＲＬは、ロケーションファイル（ＭａｃＯＳ）、インターネットショートカット（Ｗｉｎｄｏｗｓ（登録商標））等の形式があるが、これに限らず、Ｗｅｂブラウザの規定するロケーションターゲットを開くファイル、Ｗｅｂブラウザでロケーションを開く指示を与えるスクリプトファイル等の任意の手段を採り得る。
【００３７】
本発明のＲＦタグの可視的隠蔽データとしては、図３に示すように、視覚的に隠蔽されたデータである固定パスワードがあり、可視化の際には、前記電子的記録データの内容は読み出し不可となるものである。
【００３８】
また、図３に示すように、少なくとも前記任意パスワードをユーザー（来場者）が所持する前記ＲＦタグから読み出し、それをユーザ（来場者等）のネットサイトへのパスワード入力とのマッチングを確認することで、第１の認証処理を行い、更に前記タグ識別コード１０Ａを前記ＲＦタグから読み出し、それに一意対応する前記固定パスワードの入力とのマッチングを確認することで、第２の認証処理を行う。
【００３９】
また、本発明の別の情報開示方法は、図３に示すように、前記任意のパスワードと前記タグ識別コードとにそれぞれ対応する文字列を含むＵＲＬを、前記ＲＦタグから読み出し、該ＵＲＬを開くことにより認証される、ネットサイトへのユーザ（来場者等）の前記任意のパスワード入力とのマッチングを確認することにより、第１の認証処理を行い、更に前記タグ識別コードを前記ＲＦタグから読み出し、それに一意対応する前記固定パスワードの入力とのマッチングを確認することで、第２の認証処理を行う。
【００４０】
なお、本発明の情報開示方法では、図３に示すように、ユーザー（来場者）が所持するＲＦタグに記録されているタグ識別コード１０Ａと特殊ＵＲＬとを読み出し、該タグ識別コード１０Ａと、特殊ＵＲＬに含まれるタグ識別コードに対応する文字列とのマッチングを行うことにより真正なＲＦタグであることを念のために確認するようにしてもよい。
【００４１】
次に、本発明の情報開示方法及び展示情報開示システムを、本発明の方法及びシステムを説明する図４の平面図、及び図５の全体システムブロック図、図６の全体動作ブロック図を参照しながら、その実施の形態に沿って以下に詳細に説明する。
【００４２】
図４は、本発明の情報開示方法及び展示情報開示システムを適用する各種業界や団体等の主催する展示会の会場の一例を示す平面図であり、会場には１乃至複数の展示ブースＢ（Ｂ1 、Ｂ2 、Ｂ3 、・・・Ｂn ）が設置されていて、各展示ブースＢ1 、Ｂ2 、Ｂ3 、
・・・Ｂn には、ＲＦタグ１０に記録されている情報（タグ識別コード）を読み出すためのＲＦタグリーダ１１（Ｒ1 、Ｒ2 、Ｒ3 、・・・Ｒn ）が設置されている。また会場の入口又は／及び出口には、必要に応じて主催者（及び複数の出展者）共通のＲＦタグリーダライタ１９（ＲＷ0 ）及び来場者が任意のパスワードなどを入力可能な入力手段１９ａが設置されている。なお各展示ブースＢ1 、Ｂ2 、Ｂ3 、・・・Ｂn にも、前記ＲＦタグリーダライタ１１（Ｒ1 、Ｒ2 、Ｒ3 、・・・Ｒn ）とは別に、又は付随する入力手段１１ａを設置するようにしてもよい。
【００４３】
図５（ａ）は、本発明の情報開示方法及び展示情報開示システムを説明する全体システムブロック図であり、展示会の来場者には、展示会場の入口Ｅ等にてＲＦタグ１０が手渡され、あるいは郵送等にて配付される。個々の来場者や参加者に配付するＲＦタグ１０は、例えば、展示会入場券と引換えに配付されたり、入場券の半券（来場者の控え券）部分に取り付けられて配付される。ＲＦタグに連設した隠蔽性シートの片面には展示資料請求用の固定パスワードＰＷ2 が印刷等にて表示されていて、該隠蔽性シートの固定パスワードＰＷ2 表示面には他の隠蔽性シート等の隠蔽手段が剥離可能に重ね合わせ貼着、被覆されて固定パスワードＰＷ2 は隠蔽されている。隠蔽手段を隠蔽性シートから剥離することにより固定パスワードＰＷ2 が顕現し確認できるものである。
【００４４】
展示会場の各展示ブースＢ1 、Ｂ2 、Ｂ3 、・・・Ｂn には、前記ＲＦタグ１０からタグ識別コード（固有識別情報）の読み出しを行うＲＦタグリーダ１１（Ｒ1 〜Ｒn ）が設置されている。
【００４５】
各展示ブース毎のＲＦタグリーダ１１、展示会場の入口や出口に設置された主催者側のＲＦタグリーダライタ１９は、展示会の主催者側のデータ処理部１２に接続している。前記データ処理部１２は、各展示ブースＢ（Ｂ1 、Ｂ2 、Ｂ3 、・・・Ｂn ）毎に配置された各ＲＦタグリーダ１１によって、ＲＦタグ１０から読み出すタグ識別コードを、展示ブース識別情報等とともに、主催者側のデータベース２０に記憶させる。
【００４６】
また該データ処理部１２は、展示会場入口や出口に設置された主催者側のＲＦタグリーダライタ１９（及び来場者が任意のパスワードなどを入力可能な入力手段１９ａ）によって、ＲＦタグ１０から読み出すタグ識別コード、書き込みをする来場者任意の任意パスワードＰＷ1 、展示会の特殊ＵＲＬ（展示会ＵＲＬ）等のデータの処理を行い、その処理されたデータを主催者側のデータベース２０に記憶させる。なお各展示ブース毎のＲＦタグリーダ１１に主催者側のＲＦタグリーダライタ１９の機能を持たせ、主催者側のＲＦタグリーダライタ１９を省略するようにしてもよい。
【００４７】
またデータ処理部１２は、前記各展示ブースのＲＦタグリーダ１１にてＲＦタグ１０から読み出されるタグ識別コードと、展示ブース識別情報と、必要に応じて展示資料識別コードを集約処理して、前記タグ識別コード毎に展示ブース識別情報と、必要に応じて展示資料識別コードと、各展示ブース毎に予め用意された詳細な展示資料データ１４又は展示資料識別コード１４Ａとをリンクさせて来場者毎の要望展示資料リスト１３を作成する。
【００４８】
またデータ処理部１２は、展示会場の入口又は／及び出口に設置された主催者側のＲＦタグリーダライタ１９（ＲＷ0 ）にて、前記来場者のＲＦタグ１０からタグ識別コードの読み出しを行い、該タグ識別コードと、来場者が任意に指定する英数字の任意パスワードＰＷ1 とから一意に導き出される前記特殊ＵＲＬ（展示会ＵＲＬ）の書き込みを行う。なお、この前記特殊ＵＲＬ（展示会ＵＲＬ）は、ＲＦタグ１０のタグ識別コードと前記任意パスワードＰＷ1 に対応して生成されたＵＲＬであり、来場者の任意パスワードＰＷ1 の入力が必要となるので、他人がこのＵＲＬを知ってアクセスしても、要望展示資料リストを得られない。
【００４９】
前記データ処理部１２には、主催者側のデータベース２０が接続されて、該データベース２０には、前記ＲＦタグ１０のタグ識別コード、展示ブース識別情報、必要に応じて展示資料識別コード等のデータと、該データ処理部１２により作成されたタグ識別コード毎の前記要望展示資料リスト１３と、各展示ブース毎の詳細な前記展示資料データ１４、又はその展示資料データ１４の展示資料識別コード１４Ａと、タグ識別コードと、来場者が任意に指定する任意パスワードＰＷ1 とに一意対応する、前記特殊ＵＲＬ等の情報が記憶保存される。図５（ｂ）は、主催者側のデータベース２０の記憶データ内容を示す図である。
【００５０】
図６の全体動作ブロック図に示すように、主催者側のデータベース２０は、展示会（あるいは講演会）などの情報サイトを形成する主催者側のデータサーバ２１に接続していて、該データサーバ２１は来場者の利用する端末２５からの要求に応じて、前記任意パスワードＰＷ1 と固定パスワードＰＷ2 とを、主催者側のデータサーバ２１のデータ処理部１２にて真正な対応を認証して、データベース２０に収容された展示資料リスト１３、及びそれにリンクする展示資料データ１４をインターネット等のネットワークＮを介して直接来場者の利用する端末２５に送信して、要望した展示ブースの展示資料を来場者の利用する端末２５の画面に表示する。又は展示資料データ１４の展示資料識別コード１４Ａを、資料供給許可信号に乗せてインターネット等のネットワークＮを介して出展者側のサーバ３１に送信した後、該サーバ３１を介して来場者の利用する端末２５に送信して、要望した展示ブースの展示資料を来場者の利用する端末２５の画面に表示する。
【００５１】
前記来場者の利用する端末２５には、これに一体的に搭載又は接続した、ＲＦタグ１０の収録データを読み出すＲＦタグリーダ又は読み出し書き込むＲＦタグリーダライタ２６を備えるものである。
【００５２】
主催者側の前記データ処理部１２による要望展示資料リスト１３の作成や、各々出展者側が用意した各展示ブース毎の詳細な展示資料データ１４、又はその展示資料データ１４の展示資料識別コード１４Ａの要望展示資料リスト１３へのリンク操作は、該データ処理部１２に搭載するアプリケーションプログラム（ソフトウエア）などにより実現することができる。
【００５３】
各出展者の各展示ブース毎の詳細な展示資料データ１４を、予め前記データ処理部１２に接続する主催者側のデータベース２０に収容して使用する場合は、前記要望展示資料リスト１３からのリンク動作に、展示資料データ１４への直接リンクを使用することができる。また、各展示ブース毎の詳細な展示資料データ１４を出展者側のサーバ３１に接続する出展者側のデータベース３０に収容して使用する場合は、予め、出展者側のデータベース３０に収容した詳細な展示資料データ１４に展示資料識別コード１４Ａを付与しておき、主催者側のデータ処理部１２に接続する主催者側のデータベース２０には、参照する出展者側のサーバ３１に接続する出展者側のデータベース３０内の展示資料データ１４を参照する上記展示資料識別コード１４Ａを、資料供給許可信号とともに、各出展者のサーバ３１への問い合わせを送信するためのＨＴＴＰコマンドの形式で収容しておく。図５（ｃ）は、出展者側のデータベース３０の記憶データ内容を示す図である。
【００５４】
さらに、本発明の展示情報開示システムにおいては、前記データ処理部１２により受信し取得された集約処理用データのうち、各来場者の資料請求件数（資料請求の要望のあった展示資料識別コード１４Ａの件数）と各展示ブース識別情報とを用いて統計処理することにより、展示ブースＢ毎の来場者数や来場者の要望資料請求件数、あるいは来場者のパソコン等の端末２５から資料請求をしてきた展示ブースＢ毎の来場者の要望資料請求件数を算出して、その来場者数や要望資料請求件数の多い順に、各展示ブースＢ（Ｂ1 、Ｂ2
、Ｂ3 、・・・Ｂn ）の人気度合いを順位付けするようにしてもよい。
【００５５】
本発明の展示情報開示システムにおいては、主催者により、図４に示すような展示会場（１乃至複数の展示ブースＢ1 、Ｂ2 、Ｂ3 、・・・Ｂn ）にて展示会が開催される。そして展示会場では、まず、主催者側からそれぞれ来場者に対して、タグ識別コードが記録されたＲＦタグ１０が、会場の入口にて直接、手渡しなど又は予め配送などにより配付されるものである。
【００５６】
来場者に配付されたＲＦタグ１０には、会場入口又は出口のＲＦタグリーダライタ１９（ＲＷ0 ）により展示会の特殊ＵＲＬが記録される。この特殊ＵＲＬは、来場者がＲＦタグ１０を会場入口又は出口のＲＦタグリーダライタ１９（ＲＷ0 ）、又は各展示ブースのＲＦタグリーダ１１（Ｒ1 〜Ｒn がリーダライタの場合）のいずれかにかざし、そのリーダライタにより、該ＲＦタグ１０の固有のタグ識別コードを読み出すとともに、付帯する入力手段（例えばキーボード・キーパット等）にて、来場者自身が希望する任意の展示資料請求用任意パスワードＰＷ1を指定入力することにより、データ処理部１２にて読み出されたタグ識別コードと、その識別コードに対して設定された任意パスワードＰＷ1 から一意対応する特殊ＵＲＬを導き出し、主催者側のデータサーバ２１に登録され、同時に来場者のＲＦタグ１０に送信されて記録される。
【００５７】
なお、本発明における任意パスワードＰＷ1 及び固定パスワードＰＷ2 に関しては、主催者側のデータベース２０に直接保存される必要がないものである。即ち、前記特殊ＵＲＬ（展示会ＵＲＬ）が任意パスワードから導出されるものであれば、特殊ＵＲＬから認証の都度、任意パスワードを導けるため、任意パスワードＰＷ1 はデータベース２０に保管する必要がない。任意パスワードから変換して特殊ＵＲＬに埋め込む変換文字列の生成方法は、通常では解読困難な程度の変換テーブルを用いてもよいし、その他、種々の暗号方式を用いてもよい。また固定パスワードＰＷ2 も同様に各種変換方式を利用できる。あるいは、ここでは、例えば、ハッシュ値を固定パスワードＰＷ2 として、予め生成して規定することにより、認証機能を確保しつつ入力する文字（固定パスワード）の桁数を少なくすることができる。このような各種の変換方式の選択は任意であり、変換方式は、変換スキーマとしてデータ処理部１２内のアプリケーションプログラムに任意に採用して実行することができる。
【００５８】
これらの仕組みにより、以下のようなセキュリティ上の利点が得られる。
（１）特殊ＵＲＬを他人が知っても、来場者が決めた任意パスワードＰＷ1 が無ければ要望展示資料リスト１３を得ることができない。
（２）要望展示資料リスト１３の画面は、主催者側のデータサーバ２０、データベース２１（ホストコンピュータ）への問い合わせへの応答であり、動的ＵＲＬとすることができるので、この要望展示資料リスト１３の画面で表示されるＵＲＬをコピーしても、他人が再度同じ結果を得ることができない。
（３）たとえ、ＲＦタグ１０を紛失した場合でも、誰か他人が、そのタグからアクセスしようとしても、任意パスワードＰＷ1 がわからないのでアクセスできず、要望展示資料リスト１３の画面に到達しない。そのため固定パスワードＰＷ2 を入力することができないため、詳細データにもアクセス不能となる。
【００５９】
次に、本発明の展示情報開示システムの一例を、図７〜図９に示すフローチャート図に基づいて以下に説明する。
【００６０】
なお、ここでは、本願請求項５に係る発明の情報開示方法の具体例として、請求項６に係る発明の情報開示システムを以下に説明するものであるが、本発明においては、これに限らず、本願請求項４に係る発明の情報開示方法等の実施形態についても採用し得るもの
である。
【００６１】
即ち、本願請求項４に係る情報開示方法のように、本願請求項６に係る発明の工程ｇ）〜工程ｈ）において、サーバのデータ処理部１２が、任意のパスワードをそのままＲＦリーダライタへ送信し、ＲＦタグに書き込み、同工程ｉ）〜ｍ）において、来場者は、その来場者が利用するネットワーク端末（自宅のパソコン等）を用いて、まず展示会等のサイトにアクセスし、前記任意のパスワードを求められた時点で、ＲＦタグをＲＦタグリーダライタに、かざすこととしてもよい。但し、この場合には、来場者の任意のパスワードが直接サーバに保存されるので、セキュリティの保護強度はやや低下するものの、サーバのアプリケーション実装が簡略化できるメリットがある。
【００６２】
＜ステップＳ１ａ＞・・・工程ａ）
来場者は予め受け取っているＲＦタグ１０（非接触式）を持参して展示会場内に入り、各展示ブースＢ1 、Ｂ2 、Ｂ3 、・・・Ｂn の展示を見学しながら、その見学中に特定の展示ブースＢk の展示資料の入手を要望するために、その展示ブースＢk に設置された非接触式のＲＦタグリーダ１１（ＲK ）のタグ読み出し部にＲＦタグ１０をかざすか、又はタグ読み出し装填部に前記ＲＦタグ１０を載置する。
【００６３】
＜ステップＳ２ａ＞・・・工程ｂ）
前記展示ブースＢk のＲＦタグリーダ１１（ＲK ）とＲＦタグ１０とが信号接続して、そのＲＦタグリーダ１１は、該ＲＦタグ１０に記録されているタグ識別コード読み出し、必要に応じて、来場者がそのＲＦタグリーダ１１に付帯する入力手段１１ａにより展示ブースＢk における展示資料識別コード１４Ａ（資料カテゴリ）等の固有識別情報を指定入力（選択肢入力）することにより、その来場者がその展示ブースＢk の展示内容に関する資料（展示ブースＢk に対応する展示資料データ１４と、その中の資料カテゴリ）を要望していることを受け付ける。
【００６４】
なお、その際に、ＲＦタグリーダライタ１１に付帯する入力手段１１ａのディスプレイ画面上には、必要に応じて、その展示ブースＢk の展示内容に関する資料のうち、いずれの資料を要望するかを選択するための要望資料選択肢（資料名、資料カテゴリなど）が出力表示されて、来場者はその選択肢の中から要望する資料を、ディスプレイ画面上のクリックボタン又はキーボードボタン操作などにて選択指示することにより、各展示ブース毎の展示ブースに対応する展示資料データ１４、又はその展示資料データ１４の展示資料識別コード１４Ａが特定される。
【００６５】
また、この際に、来場者自身が希望する任意の展示資料請求用任意パスワードＰＷ1 を予め入力しておいてもよく、ここで入力された任意パスワードＰＷ1 は、後のステップＳ４ｂ［工程ｇ）］にて、データ処理部１２において、前記タグ識別コードに対応する任意パスワードとして、これを変換処理して、ＵＲＬの一部として埋め込んだ特殊ＵＲＬを生成する。
【００６６】
＜ステップＳ３ａ＞・・・工程ｂ）
該展示ブースＢk のＲＦタグリーダ１１は、読み出した前記タグ識別コードと、そのＲＦタグリーダライタ１１が所属する展示ブースＢk の展示ブース識別情報ＢＡ、必要に応じて、その他の固有識別情報（上記展示資料識別コード１４Ａ）とを、サーバ２１に送信する。
【００６７】
＜ステップＳ４ａ＞・・・工程ｃ）
データ処理部１２は、タグ識別コード１０Ａと展示ブース識別情報ＢＡを受信して、それを基に来場者の要望展示資料リストを作成して、主催者側のデータベース２０に、記憶
、登録する。
【００６８】
ここでは、前記データ処理部１２により、集約処理された前記要望展示資料リスト作成用データのタグ識別コード毎の展示ブース識別情報と、各展示ブース毎に予め用意された詳細な展示資料データ１４又はその展示資料データ１４の展示資料識別コード１４Ａとをリンクさせて来場者毎の要望展示資料リスト１３が作成される。（これは通常Ｗｅｂ画面表示用のＨＴＭＬ又はＸＭＬデータである。）
＜ステップＳ１ｂ＞・・・工程ｄ）
一方、来場者は、展示会場を出場するまでのうちいずれかの時点で、会場入口又は出口のＲＦタグリーダライタ１９（ＲＷO ）、又は各展示ブースのＲＦタグリーダライタ１１（Ｒ1 〜Ｒn ）及びそれらに付随するそれぞれ入力手段１９ａ、１１ａにて、任意のパスワードＰＷ1 を入力し、ＲＦタグ１０をかざす。
【００６９】
＜ステップＳ２ｂ＞・・・工程ｅ）
ＲＦタグリーダライタ１１は、かざしたＲＦタグ１０からタグ識別コード１０Ａを読み出す。
【００７０】
＜ステップＳ３ｂ＞・・・工程ｆ）
ＲＦタグリーダライタ１１は、入力された任意パスワードＰＷ1 と、読み出されたタグ識別コード１０Ａをサーバ２１へ送信する。
【００７１】
＜ステップＳ４ｂ＞・・・工程ｇ）
サーバ２１のデータ処理部１２は、受信した任意パスワードＰＷ1 とタグ識別コード１０Ａとにそれぞれ対応する文字列を含むＵＲＬ（特殊ＵＲＬ）を生成する。
【００７２】
＜ステップＳ５ｂ＞・・・工程ｇ）
データ処理部１２は、生成したＵＲＬをデータベース２０に記憶させ、登録する。
【００７３】
＜ステップＳ６ｂ＞・・・工程ｇ）
データ処理部１２は、生成したＵＲＬを、ＲＦリーダライタ１１へ送信する。
【００７４】
＜ステップＳ７ｂ＞・・・工程ｈ）
ＲＦリーダライタ１１は、受信したＵＲＬを、前記来場者がかざしたＲＦタグ１０に書き込む。このようにして、来場者は展示会場を退場し、展示会の特殊ＵＲＬが記録されたＲＦタグ１０は返却せずに持ち帰る。
【００７５】
＜ステップＳ８ｂ＞・・・工程ｉ）
来場者は、展示会場を退場後、前記ＲＦタグを、その来場者が事務所、自宅等にて使用しているネットワーク端末２５（例えばパソコン）に付随するＲＦタグリーダ又はＲＦタグリーダライタ２６にかざす。
【００７６】
このように展示会場を退場した来場者は、持ち帰ったＲＦタグ１０を、該来場者の端末２５（例えば自宅、会社等のパソコン、携帯電話等）に搭載又は接続する非接触式のＲＦタグ専用のリーダ又はリーダライタ２６の専用アプリケーションプログラムを立ち上げ、そのタグ読み出し部にかざして、ＲＦタグ１０に記録されている展示会の特殊ＵＲＬ（必要に応じてタグ識別コード）を読み出す。
【００７７】
＜ステップＳ９ｂ＞・・・工程ｊ）
来場者のネットワーク端末２５に付随する前記ＲＦタグリーダ又はＲＦタグリーダライタ２６は、前記ＲＦタグ１０から前記タグ識別コード１０Ａと前記ＵＲＬを読み出す。
【００７８】
＜ステップＳ１０ｂ＞・・・工程ｊ）
前記来場者は、ネットワーク端末２５から、前記ＵＲＬに基づいてサーバ２１にアクセスする。（通常、自動的にＷｅｂブラウザから、該特殊ＵＲＬを指定して開くアプレットが用意される。）
＜ステップＳ１１ａ＞・・・工程ｋ）
来場者のネットワーク端末２５からのアクセスを受けたサーバ２１のデータ処理部１２は、前記ＵＲＬに含まれる文字列に基づいて前記任意パスワードＰＷ1 と前記タグ識別コード１０Ａを導き出して、ステップＳ１２ａに進む。
【００７９】
＜ステップＳ１１ｂ＞・・・工程ｋ’）
一方、前記データ処理部１２は、ＲＦタグ１０から読み出したタグ識別コード１０Ａとデータ処理部１２にて導き出したタグ識別コード１０Ａとを照合し、その一致、不一致の確認を行う。
【００８０】
＜ステップＳ１２ｂ＞・・・工程ｋ’）
照合の結果、一致している場合は、来場者の前記ネットワーク端末２５は「認証」されてステップＳ１３ｂに進み、不一致の場合は来場者の前記ネットワーク端末２５は、その画面に、「認証されない」旨のメッセージを表示し、展示資料の開示操作は終了（ログアウト）される。
【００８１】
＜ステップＳ１３ｂ＞・・・工程ｋ’）
タグ識別コード１０Ａの一致が確認されて、来場者の前記ネットワーク端末２５の画面に「認証された」旨のメッセージが表示され、ステップＳ１７ａに進む。
【００８２】
＜ステップＳ１２ａ＞・・・工程ｋ）
一方、前記ステップＳ１１ａにて、任意パスワードＰＷ1 とタグ識別コード１０Ａが導き出された後は、サーバ２１は、来場者のネットワーク端末２５に、認証のための任意パスワードＰＷ1 の入力を求める画面を送信する。
【００８３】
＜ステップＳ１３ａ＞・・・工程ｌ）
前記来場者のネットワーク端末２５は、サーバ２１から任意パスワードの入力画面を受信して、その画面を端末２５の画面に表示する。
【００８４】
＜ステップＳ１４ａ＞・・・工程ｍ）
来場者は、該ネットワーク端末２５の画面にて任意のパスワードＰＷ1 を入力する。
【００８５】
＜ステップＳ１５ａ＞・・・工程ｎ）
前記ネットワーク端末２５は、入力された任意のパスワードＰＷ1 を前記サーバ２１に送信する。
【００８６】
＜ステップＳ１６ａ＞・・・工程ｎ）
前記サーバ２１は、ネットワーク端末２５から送信された来場者の任意パスワードＰＷ1 を受信する。
【００８７】
＜ステップＳ１７ａ＞・・・工程ｏ）
前記サーバ２１のデータ処理部１２は、受信した任意パスワードＰＷ1 と、データ処理部１２にて導き出した任意パスワードとを照合し、その一致、不一致の確認を行う。
【００８８】
＜ステップＳ１８ａ＞・・・工程ｏ）
照合の結果、一致している場合は、来場者の前記ネットワーク端末２５から送信された任意パスワードＰＷ1 は「認証」されて、ステップＳ１９ａに進み、不一致の場合は、前記ネットワーク端末２５の画面に、「認証されない」旨のメッセージを表示し、展示資料の開示操作は終了（ログアウト）される。
【００８９】
＜ステップＳ１９ａ＞・・・工程ｏ）
来場者の任意パスワードＰＷ1 が認証されて、前記ネットワーク端末２５の画面に「認証された」旨のメッセージが表示され、ステップＳ２０ａに進む。
【００９０】
＜ステップＳ２０ａ＞・・・工程ｏ）
前記サーバ２１は、データベース２０から、前記ステップＳ４ａにて作成登録されている来場者が来場時に要望した展示資料に対応する要望展示資料リスト１３を検索するとともに、固定パスワードＰＷ2 を入力するための画面を、来場者の前記ネットワーク端末２５に送信する。
【００９１】
＜ステップＳ２１ａ＞・・・工程ｐ）
前記来場者の前記ネットワーク端末２５は、固定パスワードＰＷ2 を入力するための画面、及び必要に応じて来場者の要望した要望展示資料リストを受信し、表示する。
【００９２】
＜ステップＳ２２ａ＞・・・工程ｑ）
その来場者は、前記ＲＦタグ１０において不可視状態とされている固定パスワードＰＷ2 を可視状態にする。
【００９３】
このように、来場者は、ネットワーク端末２５の入力画面の展示資料請求用パスワード記入欄に入力するための固定パスワードを得るため、前記ＲＦタグ１０に連設している半券に隠蔽された展示資料請求用のＲＦタグ固定パスワードＰＷ2 を、隠蔽手段を解除して可視状態にして確認する。
【００９４】
＜ステップＳ２３ａ＞・・・工程ｑ）
その来場者は、可視状態となった固定パスワードＰＷ2 を、前記ネットワーク端末２５の画面に入力する。
【００９５】
＜ステップＳ２４ａ＞・・・工程ｒ）
前記ネットワーク端末２５は、固定パスワードＰＷ2 を前記サーバ２１に送信する。
【００９６】
＜ステップＳ２５ａ＞・・・工程ｓ）
前記サーバ２１は、受信した固定パスワードＰＷ2 を、予め定義付けされているタグ識別コード１０Ａと固定パスワードＰＷ2 との変換スキームに基づいて、データ処理部１２にて認証する。ここで利用する変換スキームは、データ処理部１２のアプリケーションプログラム内で定義されているか、又は定義を変更可能なようにデータベース２０内に定義ファイルとして保存され、その定義ファイルを呼び出してアプリケーションプログラム内に保持するようにしてもよい。
【００９７】
このように、任意パスワードＰＷ1 と固定パスワードＰＷ2 が真の展示資料請求用パスワードであることを認証した主催者側のサーバ２１は、来場者の端末２５の画面に開いている展示会ウエブサイト（ホームページ）に、展示ブース識別情報に基づく出展者名等と、必要に応じて、展示資料識別コードに基づく展示資料名（タイトル等）をメッセージにて表示し、来場者は、このステップにて「展示資料請求する・請求しない」のいずれかを選択入力することができる。
【００９８】
＜ステップＳ２６ａ＞・・・工程ｓ）
前記サーバ２１は、受信した前記固定パスワードＰＷ2 を認証すると、データベース２０に蓄積されている展示資料データ１４が、データ処理部１２にて読み出され、展示資料データ１４が、展示資料請求をした前記来場者のネットワーク端末２５に送信される。
【００９９】
また、場合により、データ処理部１２にて供給許可信号が生成され、主催者側の前記サーバ２１を介して、該供給許可信号が出展者側のサーバ３１に発信されて、出展者側のデータベース３０に蓄積されている展示資料データ１４（一層詳細な内容を含む資料など）も、前記来場者のネットワーク端末２５に送信される。
【０１００】
＜ステップＳ２７ａ＞・・・工程ｔ）
前記来場者のネットワーク端末２５は、主催者側の開示する前記展示資料データ１４、及び／又は、出展者側の開示する前記展示資料データ１４を受信して表示する。
【０１０１】
このように、本発明システムにおいては、固定パスワードＰＷ2 を用いて請求する詳細な展示資料が、展示会の主催者側のサーバ２１に直結した主催者側のデータベース２０に用意されている場合だけでなく、展示会の出展者側のサーバ３１に直結した出展者側のデータベース３０に用意されていてもよい。
【０１０２】
なお、タグ識別コード、及び、場合により、任意パスワードＰＷ1 については、主催者側のデータサーバ２１から来場者の端末２５にｃｏｏｋｉｅファイルを残し、以降のセッションに利用するための情報として作用させることができる。これにより以降の来場者の端末２５からの送信入力は、展示会のホームページから入場すれば、固定パスワードＰＷ2 だけ、又は任意パスワードＰＷ1 と固定パスワードＰＷ2 だけでよくなるものである。
【図面の簡単な説明】
【０１０３】
【図１】（ａ）は本発明の情報開示方法及び展示情報開示システムに適用するＲＦタグの一例を説明する平面図、（ｂ）はその側断面図、（ｃ）はそのＲＦタグの隠蔽手段を解除した状態の側断面図、（ｄ）はその平面図。
【図２】（ａ）は本発明の情報開示方法及び展示情報開示システムに適用するＲＦタグの他の例を説明する平面図、（ｂ）はその側断面図、（ｃ）はそのＲＦタグの隠蔽手段を解除した状態の側断面図、（ｄ）はその平面図。
【図３】本発明の情報開示方法及び展示情報開示システムに適用するＲＦタグの記録データ構造の説明図。
【図４】本発明の展示情報開示システムを適用する展示会場の一例を説明する平面図。
【図５】（ａ）は本発明の展示情報開示システムのシステムブロック図、（ｂ）は主催者側のデータベースのデータ内容を示すブロック図、（ｃ）は出展者側のデータベースのデータ内容を示すブロック図。
【図６】本発明の展示情報開示システムの一例を説明する全体システム動作ブロック図。
【図７】本発明の展示情報開示システムの一例を説明するシステムフローチャート図。
【図８】本発明の展示情報開示システムの一例を説明するシステムフローチャート図。
【図９】本発明の展示情報開示システムの一例を説明するシステムフローチャート図。
【符号の説明】
【０１０４】
ＰＷ1 …任意パスワード
ＰＷ2 …固定パスワード
１０…ＲＦタグ
１１…ＲＦタグリーダ（又はリーダライタ）
１１ａ…データ入力手段
１２…データ処理部
１３…要望展示資料リスト
１４…展示資料データ
１５…基材シート
１６…隠蔽性シート
１７…ＩＣチップ
１８…アンテナ線
１９…主催者のリーダライタ
１９ａ…主催者のデータ入力手段
２０…データベース
２１…サーバ
２２…資料請求認証部
２５…来場者側の端末
２６…来場者（利用者）のＲＦタグリーダ（又はＲＦタグリーダライタ）
３０…データベース
３１…サーバ
【図１】
2010086253.tif 000003
【図２】
2010086253.tif 000004
【図３】
2010086253.tif 000005
【図４】
2010086253.tif 000006
【図５】
2010086253.tif 000007
【図６】
2010086253.tif 000008
【図７】
2010086253.tif 000009
【図８】
2010086253.tif 000010
【図９】
2010086253.tif 000011
【手続補正書】
【提出日】平成22年2月4日(2010.2.4)
【手続補正１】
【補正対象書類名】明細書
【補正対象項目名】００３６
【補正方法】変更
【補正の内容】
【００３６】
また、本発明のＲＦタグの電子的記録データとしては、図３に示すように、さらに任意のパスワードのかわりに、タグ識別コード及び任意のパスワードに対応する文字列を含む特殊なＵＲＬを記録可能である。ここで、「対応する文字列」とは、任意パスワードやタグ識別コードを直接組み込む以外に、一定の規則により可逆変換した文字列も含むものである。